(57)【要約】【課題】電源の消費電力を削減することが可能な電源制御装置等を提供する。【解決手段】電子時計１は、電源部６０から液晶パネル２０を駆動する液晶駆動回路１０７へ供給される電源を制御する電源制御回路７０と、ＣＰＵ１０１と、を備える。ＣＰＵ１０１は、液晶パネル２０の表示書換を間欠的に液晶駆動回路１０７に指示する。また、ＣＰＵ１０１は、液晶パネル２０の表示書換の際に電源制御回路７０を動作させ、液晶パネル２０の表示書換後に電源制御回路７０を停止させる。【選択図】図１
2018156001.tif 000002
【特許請求の範囲】
【請求項１】
電源部から液晶パネルを駆動する液晶駆動回路へ供給される電源を制御する電源制御回路と
制御部と、を備え、
前記制御部は、
前記液晶パネルの表示書換を間欠的に前記液晶駆動回路に指示し、
前記液晶パネルの表示書換の際に前記電源制御回路を動作させ、前記液晶パネルの表示書換後に前記電源制御回路を停止させる、
ことを特徴とする電源制御装置。
【請求項２】
前記制御部は、前記液晶パネルの表示書換を指示するタイミングよりも所定時間前のタイミングに前記電源制御回路に起動を指示する、
ことを特徴とする請求項１に記載の電源制御装置。
【請求項３】
前記電源制御回路の動作中に前記電源制御回路から供給される電力を蓄え、前記電源制御回路の停止中に前記液晶パネルの表示を維持するための電力を前記液晶駆動回路に供給する蓄電部をさらに備える、
ことを特徴とする請求項１または２に記載の電源制御装置。
【請求項４】
前記電源制御回路は、前記液晶駆動回路に出力する出力電圧を監視する監視回路を備え、
前記監視回路は、
一端が前記出力電圧が現れる出力電圧端子を介して前記蓄電部と接続され、他端がグラウンドと接続される分圧回路と、
前記電源制御回路の動作中に、前記分圧回路により分圧された前記出力電圧と、所定の基準電圧とを比較することにより、前記出力電圧が前記液晶パネルの駆動に必要な所定電圧か否かを判別する比較回路と、
前記分圧回路とグラウンドとの間に接続され、前記制御部からの制御信号に応じて、前記電源制御回路の動作中に前記分圧回路とグラウンドとを接続し、前記電源制御回路の停止中に前記分圧回路とグラウンドとを切り離すスイッチと、を備える、
ことを特徴とする請求項３に記載の電源制御装置。
【請求項５】
前記液晶パネルは、メモリインピクセル液晶である、
ことを特徴とする請求項１乃至４のいずれか１項に記載の電源制御装置。
【請求項６】
請求項１乃至５のいずれか１項に記載の電源制御装置と、
現在時刻を計時する計時部と、
前記計時部により計時された現在時刻を表す画像を表示する前記液晶パネルと、
を備えることを特徴とする電子時計。
【請求項７】
電源部から液晶パネルを駆動する液晶駆動回路へ供給される電源を制御する電源制御回路を備える電源制御装置が実行する電源制御方法であって、
前記液晶パネルの表示書換を間欠的に前記液晶駆動回路に指示する表示制御ステップと、
前記液晶パネルの表示書換の際に前記電源制御回路を動作させ、前記液晶パネルの表示書換後に前記電源制御回路を停止させる電源制御ステップと、
を備えることを特徴とする電源制御方法。
【請求項８】
電源部から液晶パネルを駆動する液晶駆動回路へ供給される電源を制御する電源制御回路を備えるコンピュータを、
前記液晶パネルの表示書換を間欠的に前記液晶駆動回路に指示する表示制御手段、
前記液晶パネルの表示書換の際に前記電源制御回路を動作させ、前記液晶パネルの表示書換後に前記電源制御回路を停止させる電源制御手段、
として機能させることを特徴とするプログラム。
【発明の詳細な説明】
【技術分野】
【０００１】
この発明は、電源制御装置、電子時計、電源制御方法、及びプログラムに関する。
【背景技術】
【０００２】
従来、ＤＣ（Direct Current）／ＤＣコンバータ等の電源制御回路は、入力電圧を所望の出力電圧に変換するための昇降圧動作を行う。その際、電源制御回路は、出力電圧が所望の電圧か否かを電圧監視回路により判別し、所望の電圧範囲内である場合には昇降圧動作を停止し、停止後に外部負荷等により出力電圧が所望の電圧範囲外になった場合には再度昇降圧動作を行うという処理を繰り返し実行する（例えば、特許文献１参照）。
【先行技術文献】
【特許文献】
【０００３】
【特許文献１】特開２００４−２４８３９６号公報
【発明の概要】
【発明が解決しようとする課題】
【０００４】
特許文献１に開示されているような電源制御回路は、昇降圧動作を停止していても、出力電圧が所望の電圧範囲内であるか判別するために出力電圧を監視する電圧監視回路を停止させない。そのため昇降圧動作の停止中においても電圧監視回路は依然として電力を消費しており、特に電池駆動の機器においては、この消費電力の削減は大きな課題である。
【０００５】
この発明の目的は、電源の消費電力を削減することが可能な電源制御装置、電子時計、電源制御方法、及びプログラムを提供することにある。
【課題を解決するための手段】
【０００６】
本発明は、上記目的を達成するため、本発明の観点に係る電源制御装置は、
電源部から液晶パネルを駆動する液晶駆動回路へ供給される電源を制御する電源制御回路と
制御部と、を備え、
前記制御部は、
前記液晶パネルの表示書換を間欠的に前記液晶駆動回路に指示し、
前記液晶パネルの表示書換の際に前記電源制御回路を動作させ、前記液晶パネルの表示書換後に前記電源制御回路を停止させる、
ことを特徴とする。
【発明の効果】
【０００７】
本発明に従うと、電源の消費電力を削減することができる。
【図面の簡単な説明】
【０００８】
【図１】実施形態に係る電子時計の構成例を示す図である。
【図２】実施形態に係る電源制御回路の回路構成の一例を示すブロック図である。
【図３】実施形態における出力電圧監視回路の回路構成の一例を示すブロック図である。
【図４】液晶パネルの表示書換のタイミングと電源制御回路による制御タイミングとの関係を示す図である。
【図５】実施形態に係る電子時計のＣＰＵが実行する電源制御処理の制御手順を示すフローチャートである。
【発明を実施するための形態】
【０００９】
以下、本発明の実施形態を図面に基づいて説明する。図１は、本発明の実施形態に係る電子時計１の構成例を表す図である。まず、実施形態に係る電子時計１のハードウェア構成について説明する。図１に示すように、電子時計１は、マイクロコンピュータ１０と、液晶パネル２０と、振動子３０と、操作受付部４０と、通信部５０と、電源部６０と、電源制御回路７０と、蓄電部８０と、を備える。
【００１０】
マイクロコンピュータ１０は、制御部としてのＣＰＵ（Central Processing Unit）１０１と、ＲＯＭ（Read Only Memory）１０２と、ＲＡＭ（Random Access Memory）１０３と、発振回路１０４と、分周回路１０５と、計時回路１０６と、液晶駆動回路１０７とを備える。なお、ＲＯＭ１０２、ＲＡＭ１０３、発振回路１０４、分周回路１０５、計時回路１０６及び液晶駆動回路１０７は、マイクロコンピュータ１０の内部に限られず、マイクロコンピュータ１０の外部に設けられてもよい。また、振動子３０、通信部５０、電源制御回路７０及び蓄電部８０は、マイクロコンピュータ１０の外部に限られず、マイクロコンピュータ１０の内部に設けられてもよい。
【００１１】
ＣＰＵ１０１は、各種演算処理を行い、電子時計１の全体動作を統括制御するプロセッサである。ＣＰＵ１０１は、ＲＯＭ１０２から制御プログラムを読み出し、ＲＡＭ１０３にロードして各種機能に係る演算制御や表示制御など各種動作処理を行う。なお、本実施形態において、ＣＰＵ１０１、電源制御回路７０及び蓄電部８０により本発明に係る電源制御装置の一例が構成される。
【００１２】
ＲＯＭ１０２は、不揮発性メモリなどであり、制御プログラムや初期設定データを記憶する。制御プログラムの中には、液晶パネル２０を駆動するための後述する電源制御処理の制御に係るプログラム１０８が含まれる。
【００１３】
ＲＡＭ１０３は、ＳＲＡＭ（Static Random Access Memory）やＤＲＡＭ（Dynamic Random Access Memory）などの揮発性のメモリである。ＲＡＭ１０３は、一時データを記憶すると共に、各種設定データを記憶する。また、ＲＡＭ１０３は、液晶パネル２０に出力する画像データを記憶する。本実施形態において、画像データは、例えば年月日や曜日、現在時刻、バッテリ残量を表す画像データである。
【００１４】
発振回路１０４は、振動子３０を発振させて、所定の周波数信号（クロック信号）を生成して出力する。
【００１５】
分周回路１０５は、発振回路１０４から入力された周波数信号を計時回路１０６やＣＰＵ１０１が利用する周波数の信号に分周して出力する。この出力信号の周波数は、ＣＰＵ１０１による設定に基づいて変更されても良い。
【００１６】
計時回路１０６は、分周回路１０５から入力された信号の入力回数を計数して初期値に加算することで現在時刻を計時する。なお、計時回路１０６は、ＲＡＭ１０３に記憶させる値を変化させるソフトウェアにより構成されても良いし、或いは、専用のハードウェアにより構成されても良い。計時回路１０６が計時する時刻は、所定のタイミングからの累積時間、ＵＴＣ（Coordinated Universal Time、協定世界時）、又は予め設定された都市の時刻（地方時）などのうち何れであっても良い。また、この計時回路１０６が計時する時刻は、必ずしも年月日時分秒の形式でなくてもよい。
【００１７】
本実施形態において、発振回路１０４、分周回路１０５及び計時回路１０６により計時部が構成される。
【００１８】
液晶駆動回路１０７は、ＣＰＵ１０１からの制御信号に基づいて、液晶パネル２０を駆動するための駆動信号を液晶パネル２０に出力して、液晶パネル２０に時刻や各種機能の表示を行わせる。本実施形態において、液晶駆動回路１０７は、電源制御回路７０または蓄電部８０から供給される所定の動作電圧（例えば、３Ｖ）を電源として液晶パネル２０を駆動する。
【００１９】
液晶パネル２０は、時刻や各種機能に係るデータを表示するデジタル表示動作を行う。本実施形態において、液晶パネル２０は、格子状に配置された複数の画素のそれぞれが、その画素に応じたデータを記憶するメモリ素子を含むメモリインピクセル（ＭＩＰ：Memory In Pixel）液晶である。液晶パネル２０に画像を表示する際、液晶駆動回路１０７は表示対象の画素にデータ信号を出力する。そして、そのデータ信号は、表示対象の画素に含まれるメモリ素子に記録される。そして、メモリ素子に記録されたデータに応じた電圧が画素電極及び共通電極との間に印加されることにより、画像の表示が行われる。表示されている画像の書き換えが必要ない場合、電源制御回路７０から液晶駆動回路１０７への電力供給は停止する。表示されている画像の書き換えが必要な場合には、電源制御回路７０から液晶駆動回路１０７へ電力供給し、液晶駆動回路１０７がメモリ素子に記録されたデータを更新する。このような動作により、一般的なＴＦＴ（Thin Film Transistor）液晶と比較して、頻繁な書き換えを必要とせず、低消費電力化を図ることができる。
【００２０】
振動子３０は、例えば、水晶振動子であって、発振回路１０４と組み合わされて固有の周波数信号を生成する。
【００２１】
操作受付部４０は、ユーザからの入力操作を受け付けて、当該入力操作に応じた電気信号を入力信号としてＣＰＵ１０１に出力する。操作受付部４０は、例えば、押しボタンスイッチやりゅうずを含む。或いは、操作受付部４０として、タッチセンサが、液晶パネル２０の表示画面に重ねて設けられ、表示画面とともにタッチパネルを構成してもよい。この場合、タッチセンサは、当該タッチセンサへのユーザの接触動作に係る接触位置や接触態様を検出し、検出された接触位置や接触態様に応じた操作信号をＣＰＵ１０１に出力する。
【００２２】
通信部５０は、例えば無線周波数（ＲＦ：Radio Frequency）回路やベースバンド（ＢＢ：Baseband）回路、メモリ回路で構成される。通信部５０は、例えばＢｌｕｅｔｏｏｔｈ（登録商標）  Ｌｏｗ  Ｅｎｅｒｇｙ（ＢＬＥ）に基づく無線信号の送信及び受信を行う。また、通信部５０は、受信した無線信号を、復調、復号等してＣＰＵ１０１へ送る。また、通信部５０は、ＣＰＵ１０１から送られた信号を、符号化、変調等して、外部へ送信する。
【００２３】
電源部６０は、例えば、バッテリを備える。電源部６０のバッテリとしては、本実施形態では、ボタン型乾電池などの一次電池が用いられている。或いは、電源部６０のバッテリとして、ソーラパネルと二次電池が用いられてもよい。
【００２４】
電源制御回路７０は、電源部６０から供給される電源電圧を昇圧または降圧することにより、液晶駆動回路１０７の所定の動作電圧を生成して液晶駆動回路１０７に供給する。また、電源制御回路７０は、後述するようにＣＰＵ１０１からの制御信号（ＥＮＡＢＬＥ信号）に基づいて、間欠的に液晶駆動回路１０７へ電力供給しまたは電力供給を停止する。
【００２５】
図２に本実施形態に係る電源制御回路７０の回路構成の一例を示す。図２に示す電源制御回路７０は、コイル７０１を使用した昇圧方式の回路の一例である。
【００２６】
スイッチング制御回路７０２は、例えばＰＷＭ（Pulse Width Modulation）コントローラまたはＰＦＭ（Pulse Frequency Modulation）コントローラから構成され、コイル７０１のチョッピング昇圧を制御する。具体的には、スイッチング制御回路７０２は、制御信号Ｓｇをｎ型ＭＯＳＦＥＴ（metal-oxide-semiconductor field-effect transistor）（ＮＭＯＳ）７０３に出力し、入力電圧端子ＶＩＮと接続するコイル７０１のコイル入力端子ＬｘのＮＭＯＳ７０３を介したグラウンド端子ＧＮＤとの接続または切り離しを制御する。また、スイッチング制御回路７０２は、制御信号Ｓｏをｐ型ＭＯＳＦＥＴ（ＰＭＯＳ）７０４に出力し、コイル入力端子ＬｘのＰＭＯＳ７０４を介した出力電圧端子ＶＯＵＴとの接続または切り離しを制御する。また、スイッチング制御回路７０２は、ロジック制御回路７０５からの制御信号Ｓｓ及び出力電圧監視回路７０７からの制御信号Ｓｍに基づいて、昇圧動作を実施するか否かを決定する。スイッチング制御回路７０２は、ロジック制御回路７０５から制御信号Ｓｓ“Ｈ”を受信し、かつ出力電圧監視回路７０７から制御信号Ｓｍ“Ｈ”を受信した場合、コイル７０１のチョッピング動作を行い、入力電圧端子ＶＩＮの電圧を昇圧して、出力電圧端子ＶＯＵＴに所定の動作電圧を発生させる。
【００２７】
ロジック制御回路７０５は、ＣＰＵ１０１からＥＮＡＢＬＥ信号を受信し、スイッチング制御回路７０２を制御するための制御信号Ｓｓを出力する。具体的には、ロジック制御回路７０５は、ＣＰＵ１０１から電源制御回路７０の停止指示を表すＥＮＡＢＬＥ信号“Ｌ”をチップイネーブル端子ＣＥを介して受信すると、スイッチング制御回路７０２に昇圧動作を停止するよう指示する制御信号Ｓｓ“Ｌ”を出力する。そして、スイッチング制御回路７０２は、制御信号Ｓｇ“Ｌ”及び制御信号Ｓｏ“Ｈ”を出力してコイル入力端子Ｌｘとグラウンド端子ＧＮＤのそれぞれから出力電圧端子ＶＯＵＴを切り離す。また、ロジック制御回路７０５は、ＣＰＵ１０１から電源制御回路７０の起動指示を表すＥＮＡＢＬＥ信号“Ｈ”をチップイネーブル端子ＣＥを介して受信すると、スイッチング制御回路７０２に昇圧動作を再開するよう指示する制御信号Ｓｓ“Ｈ”を出力する。
【００２８】
ＮＭＯＳ７０４では、寄生ダイオード７０６のカソードが出力電圧端子ＶＯＵＴ側と接続している。出力電圧端子ＶＯＵＴの電圧がコイル入力端子Ｌｘの電圧よりも高いとき、出力電圧端子ＶＯＵＴからコイル入力端子Ｌｘへの電流の流れは遮断される。
【００２９】
蓄電部８０は、電源制御回路７０から供給される電力を蓄え、電源制御回路７０からの電力供給の停止中に液晶パネル２０の表示を維持するための電力を液晶駆動回路１０７に供給する。蓄電部８０は、例えば出力電圧端子ＶＯＵＴとグラウンド端子ＧＮＤとの間に配置されるコンデンサであって、電源制御回路７０からの電力供給の停止中に液晶パネル２０の表示の維持に必要な電力を供給可能な容量を有する。
【００３０】
出力電圧監視回路７０７は、出力電圧端子ＶＯＵＴからフィードバックされる液晶駆動回路１０７に出力する出力電圧を監視し、昇圧動作が必要か否かを判別する。図３に出力電圧監視回路７０７の回路構成の一例を示す。図３に示す出力電圧監視回路７０７は、分圧回路７０８と、比較回路７０９と、ＮＭＯＳ７１０と、から構成される。分圧回路７０８は、一端が出力電圧端子ＶＯＵＴと接続され、他端がグラウンドと接続される２つの直列の分圧用抵抗７０８ａ，７０８ｂを含む。比較回路７０９は、分圧回路７０８により分圧された出力電圧と、基準電圧生成回路７１１により生成された所定の基準電圧とを比較することにより、出力電圧が液晶パネル２０の駆動に必要な所定の動作電圧か否かを判別する。ＮＭＯＳ７１０は、分圧回路７０８とグラウンドとの間に接続され、ＣＰＵ１０１からのＥＮＡＢＬＥ信号に応じて、電源制御回路７０の動作中に分圧回路７０８とグラウンドとを接続し、電源制御回路７０の停止中に分圧回路７０８とグラウンドとを切り離す。
【００３１】
次に図３に示す出力電圧監視回路７０７の動作について説明する。出力電圧監視回路７０７は、ＣＰＵ１０１からチップイネーブル端子ＣＥを介してＥＮＡＢＬＥ信号“Ｈ”を受信すると、ＮＭＯＳ７１０をオンにし、出力電圧端子ＶＯＵＴを分圧回路７０８を介してグラウンドに接続する。また、比較回路７０９は、フィードバックされた出力電圧の分圧後の電圧と、基準電圧生成回路７１１により生成された基準電圧とを比較し、出力電圧が所定の動作電圧か否かを判別する。比較回路７０９は、出力電圧が所定の動作電圧でない、すなわち昇圧動作が必要と判別した場合、制御信号Ｓｍ“Ｈ”をスイッチング制御回路７０２に出力する。また、比較回路７０９は、出力電圧が所定の動作電圧である、すなわち昇圧動作が必要ないと判別した場合、制御信号Ｓｍ“Ｌ”をスイッチング制御回路７０２に出力する。また、出力電圧監視回路７０７は、ＣＰＵ１０１からチップイネーブル端子ＣＥを介してＥＮＡＢＬＥ信号“Ｌ”を受信すると、出力電圧監視回路７０７は、比較回路７０９及び基準電圧生成回路７１１を停止（例えば、電源オフ）させる。さらに、出力電圧監視回路７０７は、ＮＭＯＳ７１０をオフすることにより、出力電圧端子ＶＯＵＴをグラウンドから切り離し、出力電圧端子ＶＯＵＴからグラウンドへの無駄な電流の発生を防止する。
【００３２】
次に、実施形態に係る電子時計１のＣＰＵ１０１の機能構成について説明する。図１に示すように、ＣＰＵ１０１は、表示制御部１２１及び電源制御部１２２として機能する。これら表示制御部１２１及び電源制御部１２２の機能は、単一のＣＰＵ１０１により実現されても良いし、各々別個のＣＰＵにより実現されてもよい。また、それらの機能は、ＣＰＵ１０１以外のプロセッサにより実現されても良い。
【００３３】
表示制御部１２１としてのＣＰＵ１０１は、間欠的に液晶パネル２０の表示書換を液晶駆動回路１０７に指示する。ここで、液晶パネル２０の表示書換とは、液晶パネル２０の画素に含まれるメモリ素子に格納されているデータの更新を意味する。例えば、ＣＰＵ１０１は、所定時間（例えば１秒）ごとに液晶パネル２０の表示書換を液晶駆動回路１０７に指示する。
【００３４】
電源制御部１２２としてのＣＰＵ１０１は、液晶パネル２０の表示書換をする際に電源制御回路７０から液晶駆動回路１０７へ電力供給を開始し、液晶パネル２０の表示書換後に電源制御回路７０から液晶駆動回路１０７への電力供給を停止させる。例えば、ＣＰＵ１０１は、液晶パネル２０の表示書換を指示するタイミングよりも所定時間前のタイミングに電源制御回路７０にＥＮＡＢＬＥ信号“Ｈ”を出力することにより、電源制御回路７０に液晶駆動回路１０７への電力供給を指示する。ここで、所定時間は、予め設定されている時間であり、電源制御回路７０が昇圧動作を開始してから所定の動作電圧に達するまでにかかる時間である。そして、ＣＰＵ１０１は、液晶パネル２０の表示書換後に電源制御回路７０にＥＮＡＢＬＥ信号“Ｌ”を出力することにより、電源制御回路７０に液晶駆動回路１０７への電力供給の停止を指示する。
【００３５】
次に、本実施形態における液晶パネル２０の表示書換のタイミングと電源制御回路７０による制御タイミングとの関係を図４を用いて説明する。なお、以下では、表示書換が１秒ごとに実行される例について説明する。図４において、最上段は液晶パネル２０の表示状態を示す。表示状態のうち、Ｘ印で示される部分は、表示書換中であることを表し、その他の部分は表示内容を維持していることを表す。図４の２段目は、表示書換のタイミングを示す。図４の３段目は、ＣＰＵ１０１が電源制御回路７０に出力するＥＮＡＢＬＥ信号の状態を示す。ＣＰＵ１０１は、表示書換を指示するタイミングよりも所定時間ｔ１前にＥＮＡＢＬＥ信号“Ｈ”を出力する。これにより、電源制御回路７０は液晶駆動回路１０７へ電力供給動作を開始する。そして、表示書換の終了後、ＣＰＵ１０１は、電源制御回路７０にＥＮＡＢＬＥ信号“Ｌ”を出力する。これにより、電源制御回路７０は液晶駆動回路１０７への電力供給を停止する。図４の４段目は、電源制御回路７０の出力電圧を示す。ＥＮＡＢＬＥ信号が“Ｈ”になると、電源制御回路７０は液晶駆動回路１０７へ電力供給動作を開始し、所定の動作電圧Ｖ０に達するまで昇圧動作を行い、その後所定の動作電圧Ｖ０に維持されるように出力電圧を制御する。また、ＥＮＡＢＬＥ信号が“Ｌ”になると、電源制御回路７０は蓄電部８０を切り離して、液晶駆動回路１０７への電力供給を停止する。電源制御回路７０の電力供給動作中に蓄電部８０に蓄えられた電荷は、液晶駆動回路１０７により液晶パネル２０の表示維持に用いられるため、出力電圧は徐々に低下する。ただし、蓄電部８０の容量が適切に設定されていることにより、次に電源制御回路７０が液晶駆動回路１０７への電力供給動作を開始するまでに出力電圧が液晶パネル２０の表示維持に必要な最低電圧Ｖｍｉｎを下回ることはない。図４の５段目は、電源部６０の消費電力を表す。電源部６０の消費電力は、電源制御回路７０が液晶駆動回路１０７へ電力供給しているとき、すなわちＥＮＡＢＬＥ信号が“Ｈ”のとき最も大きく、電源制御回路７０が液晶駆動回路１０７への電力供給を停止中のとき、すなわちＥＮＡＢＬＥ信号が“Ｌ”のとき最も小さい。
【００３６】
図５は、電子時計１のＣＰＵ１０１が実行する電源制御処理の制御手順を示すフローチャートである。電源制御処理は、本発明の電源制御方法の一実施形態である。ＣＰＵ１０１は、例えば、操作受付部４０から本処理の開始の指示を受け付けたことを契機として、電源制御処理を開始する。
【００３７】
電源制御処理が開始されると、ＣＰＵ１０１は、現時点が液晶パネル２０の表示書換を指示するタイミングよりも時間ｔ１だけ前か否かを判別する（ステップＳ１０１）。ＣＰＵ１０１は、現時点が表示書換を指示するタイミングよりも時間ｔ１だけ前でないと判別した場合、そのタイミングになるまで待機する（ステップＳ１０１；Ｎｏ）。
【００３８】
次に、ＣＰＵ１０１は、現時点が表示書換を指示するタイミングよりも時間ｔ１だけ前であると判別した場合（ステップＳ１０１；Ｙｅｓ）、ＥＮＡＢＬＥ信号“Ｈ”を電源制御回路７０に出力する（ステップＳ１０２）。
【００３９】
次に、ＣＰＵ１０１は、現時点が表示書換を指示するタイミングか否かを判別する（ステップＳ１０３）。ＣＰＵ１０１は、現時点が表示書換を指示するタイミングでないと判別した場合、そのタイミングになるまで待機する（ステップＳ１０３；Ｎｏ）。
【００４０】
ＣＰＵ１０１は、現時点が表示書換を指示するタイミングであると判別した場合（ステップＳ１０３；Ｙｅｓ）、液晶駆動回路１０７に表示書換を指示する（ステップＳ１０４）。
【００４１】
次に、ＣＰＵ１０１は、表示書換が終了したか否かを判別する（ステップＳ１０５）。ここで、表示書換が終了したか否かの判別は、例えば、所定の時間が経過したか否かや、液晶パネル２０から表示書換が終了したことを示す通知を受け取ったか否か等により判別する。ＣＰＵ１０１は、表示書換が終了していないと判別した場合、表示書換が終了するまで待機する（ステップＳ１０５；Ｎｏ）。
【００４２】
次に、ＣＰＵ１０１は、表示書換が終了したと判別した場合（ステップＳ１０５；Ｙｅｓ）、ＥＮＡＢＬＥ信号“Ｌ”を電源制御回路７０に出力する（ステップＳ１０６）。そして、ＣＰＵ１０１は、ステップＳ１０１の処理に戻って、以上の処理を所定時間ごとに間欠的に表示書換が行われるように、繰り返し実行する。
【００４３】
以上のように、実施形態に係る電子時計１のＣＰＵ１０１は、間欠的に液晶パネル２０の表示書換を液晶駆動回路１０７に指示するとともに、液晶パネル２０の表示書換をする際に電源制御回路７０から液晶駆動回路１０７へ電力供給を開始させ、液晶パネル２０の表示書換後に電源制御回路７０から液晶駆動回路１０７への電力供給を停止させる。このように、電源制御回路７０の動作及び停止を表示書換と同様に間欠的に行うことにより、電源の消費電力を削減することができる。
【００４４】
また、実施形態に係る電子時計１のＣＰＵ１０１は、液晶パネル２０の表示書換を指示するタイミングよりも所定時間前のタイミングに電源制御回路７０に液晶駆動回路１０７への電力供給を指示する。そのため、液晶パネル２０の表示書換のタイミングまでに電源制御回路７０の出力電圧を所定の動作電圧に復帰させることができる。
【００４５】
また、実施形態に係る電子時計１は、電源制御回路７０から供給される電力を蓄え、電源制御回路７０の電力供給の停止中に液晶パネル２０の表示を維持するための電力を液晶駆動回路１０７に供給する蓄電部８０を備える。そのため、電源制御回路７０の電力供給を停止させて電源の消費電力を抑制しつつ、液晶パネル２０の表示を維持することができる。
【００４６】
また、実施形態に係る電源制御回路７０は、液晶駆動回路１０７に出力する出力電圧を監視する出力電圧監視回路７０７を備える。そして、出力電圧監視回路７０７は、分圧回路７０８と、比較回路７０９と、ＮＭＯＳ７１０とを備える。分圧回路７０８は、一端が出力電圧端子ＶＯＵＴを介して蓄電部８０と接続され、他端がグラウンドと接続される。また、比較回路７０９は、電源制御回路７０の動作中に、分圧回路７０８により分圧された出力電圧と、所定の基準電圧とを比較することにより、出力電圧が液晶パネル２０の駆動に必要な所定の動作電圧か否かを判別する。また、ＮＭＯＳ７１０は、分圧回路７０８とグラウンドとの間に接続され、ＣＰＵ１０１からのＥＮＡＢＬＥ信号に応じて、電源制御回路７０の動作中に分圧回路７０８とグラウンドとを接続し、電源制御回路７０の電力供給の停止中に分圧回路７０８とグラウンドとを切り離す。従って、電源制御回路７０の停止中において、蓄電部８０から出力電圧端子ＶＯＵＴに流れる電流が、分圧回路７０８を介してグラウンドに流れることを防止し、蓄電部８０に蓄えられた電力を無駄なく液晶駆動回路１０７に供給することができる。
【００４７】
また、実施形態に係る液晶パネル２０は、ＭＩＰ液晶である。そのため、表示の書換と表示の維持とを間欠的に行うというＭＩＰ液晶の特徴に適した電源制御を行うことが可能であり、それにより消費電力の削減を図ることができる。
【００４８】
なお、本発明は、上記実施の形態に限られるものではなく、様々な変更が可能である。
【００４９】
例えば、上記の実施形態では、液晶パネル２０の表示書換が行われる周期として１秒を例に挙げて説明した。しかし、この周期は、液晶パネル２０に表示する内容に応じて、適宜変更可能である。例えば、液晶パネル２０に計時回路１０６により計時された現在時刻の秒を表示する場合、表示書換の周期を１秒とすることが好ましい。一方、液晶パネル２０に現在時刻の時分や年月日、曜日を表示する場合や、カレンダーを表示する場合には、表示書換の周期を１秒よりも長くしてもよい。このように表示書換の周期を長くする場合、蓄電部８０の容量を最適に選択し、電源制御回路７０の間欠動作の周期も表示書換の周期と合わせて長くすることで、さらに電源の消費電力を低減することができる。
【００５０】
例えば、上記の実施形態では、電源制御回路７０を、コイル７０１を使用した昇圧方式の回路を例に挙げて説明した。しかし、電源制御回路７０は、チャージポンプ方式の回路であってもよい。
【００５１】
また、以上の説明では、本発明の電源制御処理に係るプログラム１０８を記憶するコンピュータ読み取り可能な媒体としてフラッシュメモリなどの不揮発性メモリからなるＲＯＭ１０２を例に挙げて説明した。しかし、コンピュータ読み取り可能な媒体は、これらに限定されず、ＨＤＤ（Hard Disk Drive）、ＣＤ−ＲＯＭ（Compact Disc Read Only Memory）やＤＶＤ（Digital Versatile Disc）などの可搬型記録媒体を適用してもよい。また、本発明に係るプログラムのデータを通信回線を介して提供する媒体として、キャリアウェーブ（搬送波）も本発明に適用される。
【００５２】
その他、上記実施の形態で示した構成、制御手順や表示例などの具体的な細部は、本発明の趣旨を逸脱しない範囲において適宜変更可能である。
【００５３】
本発明のいくつかの実施形態を説明したが、本発明の範囲は、上述の実施の形態に限定するものではなく、特許請求の範囲に記載された発明の範囲とその均等の範囲を含む。以下に、この出願の願書に最初に添付した特許請求の範囲に記載した発明を付記する。付記の番号は、この出願の願書に最初に添付した特許請求の範囲の通りである。
【００５４】
（付記１）
電源部から液晶パネルを駆動する液晶駆動回路へ供給される電源を制御する電源制御回路と
制御部と、を備え、
前記制御部は、
前記液晶パネルの表示書換を間欠的に前記液晶駆動回路に指示し、
前記液晶パネルの表示書換の際に前記電源制御回路を動作させ、前記液晶パネルの表示書換後に前記電源制御回路を停止させる、
ことを特徴とする電源制御装置。
【００５５】
（付記２）
前記制御部は、前記液晶パネルの表示書換を指示するタイミングよりも所定時間前のタイミングに前記電源制御回路に起動を指示する、
ことを特徴とする付記１に記載の電源制御装置。
【００５６】
（付記３）
前記電源制御回路の動作中に前記電源制御回路から供給される電力を蓄え、前記電源制御回路の停止中に前記液晶パネルの表示を維持するための電力を前記液晶駆動回路に供給する蓄電部をさらに備える、
ことを特徴とする付記１または２に記載の電源制御装置。
【００５７】
（付記４）
前記電源制御回路は、前記液晶駆動回路に出力する出力電圧を監視する監視回路を備え、
前記監視回路は、
一端が前記出力電圧が現れる出力電圧端子を介して前記蓄電部と接続され、他端がグラウンドと接続される分圧回路と、
前記電源制御回路の動作中に、前記分圧回路により分圧された前記出力電圧と、所定の基準電圧とを比較することにより、前記出力電圧が前記液晶パネルの駆動に必要な所定電圧か否かを判別する比較回路と、
前記分圧回路とグラウンドとの間に接続され、前記制御部からの制御信号に応じて、前記電源制御回路の動作中に前記分圧回路とグラウンドとを接続し、前記電源制御回路の停止中に前記分圧回路とグラウンドとを切り離すスイッチと、を備える、
ことを特徴とする付記３に記載の電源制御装置。
【００５８】
（付記５）
前記液晶パネルは、メモリインピクセル液晶である、
ことを特徴とする付記１乃至４のいずれか１つに記載の電源制御装置。
【００５９】
（付記６）
付記１乃至５のいずれか１つに記載の電源制御装置と、
現在時刻を計時する計時部と、
前記計時部により計時された現在時刻を表す画像を表示する前記液晶パネルと、
を備えることを特徴とする電子時計。
【００６０】
（付記７）
電源部から液晶パネルを駆動する液晶駆動回路へ供給される電源を制御する電源制御回路を備える電源制御装置が実行する電源制御方法であって、
前記液晶パネルの表示書換を間欠的に前記液晶駆動回路に指示する表示制御ステップと、
前記液晶パネルの表示書換の際に前記電源制御回路を動作させ、前記液晶パネルの表示書換後に前記電源制御回路を停止させる電源制御ステップと、
を備えることを特徴とする電源制御方法。
【００６１】
（付記８）
電源部から液晶パネルを駆動する液晶駆動回路へ供給される電源を制御する電源制御回路を備えるコンピュータを、
前記液晶パネルの表示書換を間欠的に前記液晶駆動回路に指示する表示制御手段、
前記液晶パネルの表示書換の際に前記電源制御回路を動作させ、前記液晶パネルの表示書換後に前記電源制御回路を停止させる電源制御手段、
として機能させることを特徴とするプログラム。
【符号の説明】
【００６２】
１…電子時計、１０…マイクロコンピュータ、２０…液晶パネル、３０…振動子、４０…操作受付部、５０…通信部、６０…電源部、７０…電源制御回路、８０…蓄電部、１０１…ＣＰＵ、１０２…ＲＯＭ、１０３…ＲＡＭ、１０４…発振回路、１０５…分周回路、１０６…計時回路、１０７…液晶駆動回路、１０８…プログラム、１２１…表示制御部、１２２…電源制御部、７０１…コイル、７０２…スイッチング制御回路、７０３…ＮＭＯＳ、７０４…ＰＭＯＳ、７０５…ロジック制御回路、７０６…寄生ダイオード、７０７…出力電圧監視回路、７０８…分圧回路、７０８ａ，７０８ｂ…分圧用抵抗、７０９…比較回路、７１０…ＮＭＯＳ、７１１…基準電圧生成回路
【図１】
2018156001.tif 000003
【図２】
2018156001.tif 000004
【図３】
2018156001.tif 000005
【図４】
2018156001.tif 000006
【図５】
2018156001.tif 000007